(57)【要約】【課題】デジタル情報の著作権を的確に保護する。【解決手段】ＩＣカード２７のＩＤ番号と、装置本体のメモリ２５に記憶された機体ＩＤとから、暗号化及び暗号解除の鍵情報を生成するように構成すると共に、ＩＣカード２７にメモリ２５の機体ＩＤを記憶させ、さらにメモリ２５にＩＣカード２７のＩＤを記憶して、相互に他方に記憶されたＩＤと自分のＩＤとを比較することで相互認証処理を実行し、相互認証が確立できなかった場合に不正使用として鍵情報の生成を阻止できるように構成した。【選択図】      図２
2004205723.tif 000002
【特許請求の範囲】
【請求項１】
デジタル情報信号が入力される入力手段と、
装置を特定する識別情報が予め記憶された記憶手段と、
特定のＩＤを含む情報が蓄えられた記憶媒体から当該情報を読み出す手段と、前記記憶手段に記憶された識別情報を読み出し、当該識別情報と前記記憶媒体から読み出されたＩＤ情報とに基づき鍵情報を生成する鍵情報生成手段と、
前記入力手段に入力されたデジタル情報信号を前記鍵情報に基づいて暗号化する暗号化手段と、
この暗号化手段にて暗号化されたデジタル情報を記録媒体に記録する記録手段と、
を具備したことを特徴とするデジタル情報記録装置。
【請求項２】
鍵情報に基づいて暗号化されたデジタル情報が記録された記録媒体から前記デジタル情報を再生する再生手段と、
装置を特定する識別情報が予め記憶された記憶手段と、
特定のＩＤを含む情報が蓄えられた記憶媒体から当該情報を読み出す読出し手段と、
前記記憶手段に記憶された識別情報を読み出し、当該識別情報と前記記憶媒体から前記読出し手段にて読み出されたＩＤ情報とに基づき鍵情報を生成する鍵情報生成手段と、
前記再生されたデジタル情報信号に対し、前記鍵情報に基づいて暗号化解除処理を施す暗号化解除手段と、
を具備したことを特徴とするデジタル情報再生装置。
【請求項３】
デジタル情報信号が入力される入力手段と、
装置を特定する識別情報が予め記憶された記憶手段と、
特定のＩＤを含む情報が蓄えられた記憶媒体から当該情報を読み出す読出し手段と、
前記記憶手段に記憶された識別情報を読み出し、当該識別情報と前記記憶媒体から前記読出し手段にて読み出されたＩＤ情報とに基づき鍵情報を生成する鍵情報生成手段と、
前記入力されたデジタル情報信号を前記鍵情報に基づいて暗号化する暗号化手段と、
この暗号化手段にて暗号化されたデジタル情報を記録媒体に記録する記録手段と、
この記録手段にて記録媒体に記録されたデジタル情報を再生する再生手段と、前記再生されたデジタル情報信号に対し、前記鍵情報に基づいて暗号化解除処理を施す暗号化解除手段と、
を具備したことを特徴とするデジタル情報記録再生装置。
【請求項４】
デジタル情報信号を受けるステップと、
装置を特定する識別情報と、特定のＩＤ情報とに基づき鍵情報を生成するステップと、
前記入力されたデジタル情報信号を前記鍵情報に基づいて暗号化するステップと、
前記暗号化されたデジタル情報を記録媒体に記録するステップと、
を具備したことを特徴とするデジタル情報記録方法。
【請求項５】
鍵情報に基づいて暗号化されたデジタル情報が記録された記録媒体から前記デジタル情報を再生するステップと、
装置を特定する識別情報と、特定のＩＤ情報とに基づき鍵情報を生成するステップと、
前記再生されたデジタル情報信号に対し、前記鍵情報に基づいて暗号化解除処理を施す暗号化解除手段と、
を具備したことを特徴とするデジタル情報再生方法。
【請求項６】
デジタル情報信号を受けるステップと、
装置を特定する識別情報と、特定のＩＤ情報とに基づき鍵情報を生成するステップと、
前記入力されたデジタル情報信号を前記鍵情報に基づいて暗号化するステップと、
前記暗号化されたデジタル情報を記録媒体に記録するステップと、
前記記録媒体に記録されたデジタル情報を再生するステップと、
前記再生されたデジタル情報信号に対し、前記鍵情報に基づいて暗号化解除処理を施すステップと、
を具備したことを特徴とするデジタル情報記録再生方法。
【請求項７】
前記装置を特定する識別情報と、特定のＩＤ情報とを相互認証する手段を備えたことを特徴とする請求項１に記載のデジタル情報記録装置。
【請求項８】
前記特定ＩＤ情報は、前記装置に対して装脱自在に設けられたカード状記憶媒体に記憶されていることを特徴とする請求項１に記載のデジタル情報記録装置。
【請求項９】
前記装置を特定する識別情報と、特定のＩＤ情報とを相互認証する手段を備えたことを特徴とする請求項２に記載のデジタル情報再生装置。
【請求項１０】
前記特定ＩＤ情報は、前記装置に対して装脱自在に設けられたカード状記憶媒体に記憶されていることを特徴とする請求項２に記載のデジタル情報再生装置。
【請求項１１】
前記装置を特定する識別情報と、特定のＩＤ情報とを相互認証する手段を備えたことを特徴とする請求項３に記載のデジタル情報記録再生装置。
【請求項１２】
前記特定ＩＤ情報は、前記装置に対して装脱自在に設けられたカード状記憶媒体に記憶されていることを特徴とする請求項３に記載のデジタル情報記録再生装置。
【請求項１３】
前記装置を特定する識別情報と、特定のＩＤ情報とを相互認証するステップを備えたことを特徴とする請求項４に記載のデジタル情報記録方法。
【請求項１４】
前記特定ＩＤ情報は、前記装置に対して装脱自在に設けられたカード状記憶媒体に記憶されていることを特徴とする請求項４に記載のデジタル情報記録方法。
【請求項１５】
前記装置を特定する識別情報と、特定のＩＤ情報とを相互認証するステップを備えたことを特徴とする請求項５に記載のデジタル情報再生方法。
【請求項１６】
前記特定ＩＤ情報は、前記装置に対して装脱自在に設けられたカード状記憶媒体に記憶されていることを特徴とする請求項５に記載のデジタル情報再生方法。
【請求項１７】
前記装置を特定する識別情報と、特定のＩＤ情報とを相互認証するステップを備えたことを特徴とする請求項６に記載のデジタル情報記録再生方法。
【請求項１８】
前記特定ＩＤ情報は、前記装置に対して装脱自在に設けられたカード状記憶媒体に記憶されていることを特徴とする請求項６に記載のデジタル情報記録再生方法。
【発明の詳細な説明】
【０００１】
【発明の属する技術分野】
本発明は、デジタル情報の記録再生装置及び記録再生方法に関し、特に暗号化処理によって著作権の保護が図られる情報の記録再生装置及び記録再生方法に関する。
【０００２】
【従来の技術】
デジタル放送、ＤＶＤ（Digital Versatile Disk）等においては、扱われるコンテンツを構成する映像信号及び音声信号がデジタル信号であり、入手したコンテンツの記録再生を繰返しても情報の劣化が発生しないこと、また画像処理用のアプリケーションソフト等によって容易に加工をすることができるため、著作権を保護するという観点において、様々な対策が講じられている。
【０００３】
コンテンツを記録する際の著作権保護の対策の一つに、コンテンツを暗号化して記録するというものがあり、それによれば、たとえ記録されたコンテンツが読み出されてしまっても、暗号を解除しなければ情報としての価値はなく、著作権としての保護がなされることになる。
【０００４】
デジタル信号の暗号化処理は、通常は、鍵情報に基づいて行ない、暗号の解除も、その同じ鍵情報によって処理されるので、この鍵情報が漏洩してしまうと、もはや、暗号化の意味をなさなくなる。
したがって、鍵情報をいかに管理するかが重要な課題になっており、従来、いくつかの提案がなされている。例えば、特許文献１には、鍵情報をＩＣカードに格納された情報に基づいて生成するように構成し、ＩＣカードを正当に権利を有するユーザが管理することで、コンテンツの保護を図ったシステムが提案されている。
【０００５】
あるいはまた、特許文献２に示すように、ライセンス管理組織が発行したライセンス情報をＩＣカードとコンテンツ表示装置に格納し、そのライセンス情報に基づいて、鍵情報するシステムが提案されている。
特許文献１では、装置本体がパソコンで構成されており、ＩＣカードに収容されたＩＤ番号を利用して暗号化するソフトウェアがインストールされ、ユーザによって装着されたＩＣカードのＩＤ番号を読み取って暗号化処理を行うように構成されている。
【０００６】
しかしながら、このシステムでは、多少パソコンの知識を有する者であるならば、パソコンの入力手段を用いて、ＩＣカードのダミーデータをデバイスドライバに組み込んで、装置を、あたかも正規のＩＤ番号が収容されたＩＣカードを装着したかのように動作させることができるため、ＩＣカードがなくても、暗号化を解除したコンテンツを入手することが可能であり、著作権保護が充分であるとはいえなかった。
【０００７】
また、特許文献２においても、装置をパソコンで構成することが可能であることが記されており、その場合、特許文献１と同様の問題を有する。
さらにまた、ＩＣカードそのものが不正にコピーされた場合には、もはや全く著作権保護はされていないことになる。
【特許文献１】
特開２００１−４５４３２号公報（第３頁［００２０］、図１，２）
【特許文献２】
特開２０００−１１３０４８号公報（第４頁［００１０］，［００１１］図１，３）
【０００８】
【発明が解決しようとする課題】
以上のように、従来のシステムは、ＩＣカードに格納された情報と同じ情報を入力することが可能であり、それによって鍵情報を生成して暗号化解除されたコンテンツを入手することがさほど難しくなく、可能であり、著作権保護の観点で問題があった。
【０００９】
本発明は、以上の点に対処してなされたものであり、たとえ、ＩＣカードに蓄えられた情報と同様の情報が入力できたとしても、鍵情報の生成を妨げることができるデジタル情報記録再生装置及び記録再生方法を提供することを目的とする。
【００１０】
【課題を解決するための手段】
本発明のデジタル情報記録装置は、デジタル情報信号が入力される入力手段と、装置を特定する識別情報が予め記憶された記憶手段と、特定のＩＤを含む情報が蓄えられた記憶媒体から当該情報を読み出す手段と、前記記憶手段に記憶された識別情報を読み出し、当該識別情報と前記記憶媒体から読み出されたＩＤ情報とに基づき鍵情報を生成する鍵情報生成手段と、前記入力手段に入力されたデジタル情報信号を前記鍵情報に基づいて暗号化する暗号化手段と、この暗号化手段にて暗号化されたデジタル情報を記録媒体に記録する記録手段と、を具備したことを特徴とする。
【００１１】
本発明によれば、鍵情報を２つの情報に基づいて生成するので、鍵情報を他から盗まれることなく真に権利を有するものによって確実に管理することができるようになるものである。
本発明のデジタル情報再生装置は、鍵情報に基づいて暗号化されたデジタル情報が記録された記録媒体から前記デジタル情報を再生する再生手段と、装置を特定する識別情報が予め記憶された記憶手段と、特定のＩＤを含む情報が蓄えられた記憶媒体から当該情報を読み出す読出し手段と、前記記憶手段に記憶された識別情報を読み出し、当該識別情報と前記読出し手段にて前記記憶媒体から読み出されたＩＤ情報とに基づき鍵情報を生成する鍵情報生成手段と、前記再生されたデジタル情報信号に対し、前記鍵情報に基づいて暗号化解除処理を施す暗号化解除手段と、を具備したことを特徴とする。
【００１２】
本発明によれば、鍵情報を２つの情報に基づいて生成するので、鍵情報を他から盗まれることなく真に権利を有するものによって確実に管理することができるようになるものである。
本発明のデジタル情報記録再生装置は、デジタル情報信号が入力される入力手段と、装置を特定する識別情報が予め記憶された記憶手段と、特定のＩＤを含む情報が蓄えられた記憶媒体から当該情報を読み出す読出し手段と、前記記憶手段に記憶された識別情報を読み出し、当該識別情報と記憶媒体から前記読出し手段にて読み出されたＩＤ情報とに基づき鍵情報を生成する鍵情報生成手段と、前記入力されたデジタル情報信号を前記鍵情報に基づいて暗号化する暗号化手段と、この暗号化手段にて暗号化されたデジタル情報を記録媒体に記録する記録手段と、この記録手段にて記録媒体に記録されたデジタル情報を再生する再生手段と、前記再生されたデジタル情報信号に対し、前記鍵情報に基づいて暗号化解除処理を施す暗号化解除手段と、を具備したことを特徴とする。
【００１３】
本発明によれば、鍵情報を２つの情報に基づいて生成するので、鍵情報を他から盗まれることなく真に権利を有するものによって確実に管理することができるようになるものである。
本発明のデジタル情報記録方法は、デジタル情報信号を受けるステップと、装置を特定する識別情報と、特定のＩＤ情報とに基づき鍵情報を生成するステップと、前記入力されたデジタル情報信号を前記鍵情報に基づいて暗号化するステップと、前記暗号化されたデジタル情報を記録媒体に記録するステップと、を具備したことを特徴とする。
【００１４】
本発明によれば、鍵情報を２つの情報に基づいて生成するので、鍵情報を他から盗まれることなく真に権利を有するものによって確実に管理することができるようになるものである。
本発明のデジタル情報再生方法は、鍵情報に基づいて暗号化されたデジタル情報が記録された記録媒体から前記デジタル情報を再生するステップと、装置を特定する識別情報と、特定のＩＤ情報とに基づき鍵情報を生成するステップと、前記再生されたデジタル情報信号に対し、前記鍵情報に基づいて暗号化解除処理を施す暗号解除手段と、を具備したことを特徴とする。
【００１５】
本発明によれば、鍵情報を２つの情報に基づいて生成するので、鍵情報を他から盗まれることなく真に権利を有するものによって確実に管理することができるようになるものである。
本発明のデジタル情報記録再生方法は、デジタル情報信号を受けるステップと、装置を特定する識別情報と、特定のＩＤ情報とに基づき鍵情報を生成するステップと、前記入力されたデジタル情報信号を前記鍵情報に基づいて暗号化するステップと、前記暗号化されたデジタル情報を記録媒体に記録するステップと、前記記録媒体に記録されたデジタル情報を再生するステップと、前記再生されたデジタル情報信号に対し、前記鍵情報に基づいて暗号解除処理を施すステップと、を具備したことを特徴とする。
【００１６】
本発明によれば、鍵情報を２つの情報に基づいて生成するので、鍵情報を他から盗まれることなく真に権利を有するものによって確実に管理することができるようになるものである。
【００１７】
【発明の実施の形態】
以下、図面を参照しながら本発明の実施の形態を詳細に説明する。
図１は、本発明のデジタル情報記録再生装置１０の回路ブロック図である。
図１において、１１はパラボラアンテナであり、デジタル衛星放送の電波を受ける。アンテナ１１はケーブルを介してアンテナ入力端子１２に接続され、アンテナ入力端子１２は、チューナユニット１３に接続されている。このチューナユニット１３によって、デジタル衛星放送のチャンネル選局、選局したチャンネルの受信信号の復調、誤り訂正等の処理が行なわれ、チューナユニット１３からトランスポートストリーム（Transport Stream : ＴＳ）信号が出力される。チューナユニット１３からのＴＳ信号は、デスクランブラ１４に供給されて、信号にスクランブル処理が施されていた場合には、ここでスクランブルを解除する処理が施されてデマルチプレクサ１５に供給される。スクランブル処理が施されていない場合には、ＴＳ信号はデスクランブラ１４をそのまま通過してデマルチプレクサ１５に供給される。
【００１８】
デマルチプレクサ１５では、ＴＳ信号に含まれる放送番組（コンテンツ）を構成する映像信号、音声信号及び、番組名、出演者等の番組内容に関連するデータ、全てのチャンネルの放送番組に関するＥＰＧ（Electric Program Guide）データ及び番組とは関係しない天気予報等の付加データを分離して出力する。ここでは、発明に直接関係しない付加データについては、説明を省略する。
【００１９】
デマルチプレクサ１５で分離された映像信号、音声信号及びデータは、デコーダ１６に供給されて、それぞれここでデコードされる。番組を構成する映像信号、音声信号についはＭＰＥＧ（Moving Picture Experts Group）２の復号が行なわれ、音声信号は、音声信号処理部１７で必要に応じて所定の処理が施されると共にアナログ信号に変換されて、例えばスピーカで構成される音声出力部１８から出力される。また、映像信号については、グラフィックス処理部１９で、必要に応じて文字、記号等のグラフィックが重畳され、さらに必要に応じて所定の処理が施されてアナログ信号に変換され、陰極線管等で構成される表示部２０に供給されて表示される。
【００２０】
さらに、デマルチプレクサ１５で分離されたＥＰＧデータもデコーダで復号され、グラフィックス処理部１９で番組表に構築されて表示部２０に送られる。
チューナユニット１２、デスクランブラ１４、デマルチプレクサ１５、ＭＰＥＧデコーダ１６、音声信号処理部１７及びグラフィックス処理部１９は、制御部２１によって制御されるもので、この制御部２１には、ユーザが操作可能な、操作部２２が接続され、チャンネル切換え等の各種機能の制御が行なわれる。
【００２１】
さらに、放送番組を構成するコンテンツを記録するためのストレージデバイス２３が設けられ、このストレージデバイス２３へコンテンツを記録させる制御も制御部２１によって行なわれる。すなわち、例えばユーザが操作部２２を操作することで、制御部２１からデマルチプレクサ１５、デコーダ１６及びグラフィックス処理部１９にＥＰＧデータを抽出し、復号して表示用の番組表データを生成するように指示を出し、ユーザがＥＰＧ表示画面によって録画を希望する番組を選択することで、制御部２１はその番組の番組情報を録画予約情報として内部のメモリに蓄える。
【００２２】
制御部２１は、録画予約された番組の放送が開始された際に、デマルチプレクサ１５からＴＳ信号をそのまま暗号化／暗号解除部２４を介してストレージデバイス２３に供給して、そのＴＳ信号を記録する。
暗号化／暗号解除部２４では、制御部２１の制御の下に、ＴＳ信号の暗号化処理が行なわれる。暗号化には、鍵コード（鍵情報）が必要であり、この鍵コードは制御部２１から与えられる。制御部２１には、装置を特定する機体ＩＤが記録されたメモリ２５が接続されて制御部２１に対して機体ＩＤを与える。さらに制御部２１には、ＩＣカードＩ／Ｆ（Inter Face）２６が接続されており、装置に対して装着自在に配設されるＩＣカードから、ＩＣカードＩ／Ｆ２６を介してＩＤ番号が与えられている。
【００２３】
制御部２１は、メモリ２５からの機体ＩＤと、ＩＣカードＩ／Ｆ２６からのＩＤ番号の２つのＩＤ情報から、鍵コードを生成して暗号化／暗号解除部２４に出力し、暗号化／暗号解除部２４では、この鍵コードによってデマルチプレクサ１５から供給されるＴＳ信号に暗号化処理を施して、ストレージデバイス２３に供給してそれを記録させる。
【００２４】
ここにおいて、ＩＣカードのＩＤ番号が正規のものであるか否かが相互認証処理により確認される。すなわち、ＩＣカードＩ／Ｆ２６を介して取り込まれる正規のＩＣカードのＩＤ番号をメモリ２５に記憶し、メモリ２５に記憶されている機体ＩＤを制御部２１、ＩＣカードＩ／Ｆ２６を介してＩＣカード２７に供給して記憶しておく。次にＩＣカード２７が装着された際に、ＩＣカード２７に記憶されている機体ＩＤと、メモリ２５に記憶されている機体ＩＤを比較し、さらにメモリ２５に記憶されているＩＣカードのＩＤ番号と装着されたＩＣカード２７のＩＤ番号を比較し、両方の比較処理の結果、そろって一致が検出されたことで、正規のＩＣカード２７が正規の機器に装着されたことが確認される。
【００２５】
ストレージデバイス２３からの再生は、ユーザが操作部２２を操作することにより、制御部２１の制御の下、ストレージデバイス２３から読み出され、暗号化／暗号解除部２４で制御部２１から与えられる記録時と同じ鍵コードによって暗号の解除処理が行なわれる。暗号が解除された再生信号は、デマルチプレクサ１５を介してデコーダ１６に出力されて復号され、音声信号は音声信号処理部１７から音声出力部１８を介して出力され、映像信号はグラフィックス処理部から表示部２０を介して出力される。この場合も、記録時と同様にＩＣカードのＩＤ番号と、機体ＩＤの相互認証処理により、正規のＩＣカードが装着されているかが判定されてから、暗号化解除処理が実行される。
【００２６】
以上のように、本発明の装置によれば、ＩＣカードからのＩＤ番号とメモリ２５からの機体ＩＤの２個のＩＤ情報に基づいて鍵コードを生成するものであるため、ＩＣカードのＩＤ番号と同じＩＤ番号を入力できたとしても、正しい鍵情報を生成することは困難であり、著作権を確実に保護することができるものである。
【００２７】
図１に示す回路ブロックの動作を図２のフローチャートでさらに説明する。ステップＳ１０で開始され、ステップＳ１１でＩＣカード２７のＩＤ番号と、メモリ２５からの機体ＩＤの読込みができたか否かが判定される。ステップＳ１１でＩＣカード２７のＩＤ番号と機体ＩＤの読込みが正常に終了しなかった場合、ステップＳ１１の前に戻る。ステップＳ１１でカードＩＤ番号と機体ＩＤの読込みが正常に終了した場合、ステップＳ１２でＩＣカードのＩＤ番号と機体ＩＤが正規のものであるか否かが判定される。その判定には、相互認証が用いられる。
【００２８】
カードＩＤ番号と機体ＩＤが正規のものと確認されなかったら、ＩＣカードが違法に使用されていると認定して、ステップＳ１３で違法使用に対する警告を行なう。カードＩＤ番号と機体ＩＤが正規のものと認定された場合、ステップＳ１４でカードＩＤ番号と機体ＩＤの両方に基づき、暗号化鍵情報を生成する。
【００２９】
次いで、ステップＳ１５で動作モードが記録モードに設定されているか再生モードに設定されているかの判定がなされ、記録モードに設定されている場合、ステップＳ１６でデマルチプレクサ１５からのＴＳ信号が、ステップＳ１４で生成された鍵情報によって暗号化され、ステップＳ１７で暗号化されたＴＳ信号が記録され、ステップＳ１８で終了となる。
【００３０】
ステップＳ１５で再生モードが設定されていると判定された場合、ステップＳ１９で、再生されたＴＳ信号の暗号をステップＳ１４で生成された鍵情報に基づいて解除し、ステップＳ２０で暗号解除されたＴＳ信号を復号する。復号された信号は、ステップＳ２１で映像・音声出力処理が施されて出力され、ステップＳ１８で終了となる。
【００３１】
以上のように、カードのＩＤ番号と機体ＩＤによって鍵情報を得るものであるため、鍵情報に対する保護が充分に行なえるため、著作権を確実に保護することができるものである。
また、ＩＣカード２７が正規のものであるかということが確認されてから、鍵情報を生成することにより、ＩＣカードの不正な使用を防ぐことができるものである。
図３に、図２におけるＩＣカードＩＤと機体ＩＤが正規のものであるかということの確認処理（ステップＳ１２）をさらに詳細に示すフローチャートを示す。ＩＣカードＩＤと機体ＩＤの確認処理は、相互認証に基づくものであり、ここでは、ＩＣカードとしてデジタル衛星放送で、受信契約者の確認に用いられているＢ−ＣＡＳ（Bs-Conditional Access System）（登録商標）カード２７を用いている。
【００３２】
相互認証は、まずＢ−ＣＡＳカード２８のＩＤと機体ＩＤを互いに相手側に記憶させ、次に相手側に記憶したＩＤを読出して自分のＩＤと比較することで互いにＩＤが正しいことを確認するものである。
図３において、ステップＳ３０は、Ｂ−ＣＡＳカードＩＤと機体ＩＤの相互認証書込みフローの開始ステップである。ステップＳ３０で開始された後、ステップＳ３１でＢ−Ｓカード２７からＩＤを読み出す処理が実行され、次にステップＳ３２でＢ−ＣＡＳカードＩＤをメモリ２５に記憶させる。次にステップＳ３３でメモリ２５に記憶されている機体ＩＤを読み出す処理を行ない、ステップＳ３４で機体ＩＤをＢ−ＣＡＳカード２７に書き込む。以上によって、相互認証書込みフローが終了する。
【００３３】
次に、Ｂ−ＣＡＳカードＩＤと機体ＩＤの相互認証フローに移り、ステップ３５で開始された後、ステップＳ３６でＢ−ＣＡＳカード２７に書き込まれている機体ＩＤを読出し、次いでステップＳ３７でメモリ２５に記憶されているＢ−ＣＡＳカードＩＤを読み出す。ステップＳ３８でＢ−ＣＡＳカード２７のＩＤとメモリ２５に記憶されていたＢ−ＣＡＳカードＩＤとが一致するか否かの判定を行い、一致しない場合はＩＤ相互認証が確定されなかったとして、ステップＳ３９でＩＤ相互認が正規のものでないことに基づく処理が行なわれる。このステップＳ３９の処理は、例えば図２に示すステップＳ１３と同じものであり、違法使用に対する警告である。
【００３４】
ステップＳ３８でＢ−ＣＡＳカード２７のＩＤとメモリ２５に記憶されていたＢ−ＣＡＳカードＩＤとが一致したと判定されたら、ステップＳ４０で、メモリ２５の機体ＩＤとＢ−ＣＡＳカード２７に記憶された機体ＩＤとが一致するか否かの判定を行い、一致しない場合はＩＤ相互認証が確定されなかったとして、ステップＳ３９でＩＤ相互認が正規のものでないことに基づく処理が行なわれる。このステップＳ３９の処理は、例えば図２に示すステップＳ１３と同じものであり、違法使用に対する警告である。
【００３５】
ステップＳ４０でメモリ２５の機体ＩＤとＢ−ＣＡＳカード２７に記憶された機体ＩＤとが一致すると判定された場合には、ＩＤ相互認証が確定されたとしてステップＳ４１による処理が実行される。このステップＳ４１の処理は、図２に示すステップＳ１４と同じものである。すなわち、暗号化鍵情報が生成される。
【００３６】
以上の相互認証処理を行なうことによって、正規のＩＣカードが装着されない場合、機器が変更になった場合、さらには正規のＩＣカードが装着されない状態で正規のカードＩＤ番号がダミーデータとして入力された場合のいずれにおいても相互認証されることがないので、不正使用と認定され、鍵情報を生成することができない。よって暗号解除できず、著作権を保護することができものである。
【００３７】
なお、以上の説明では、ＩＣカードを用いたが、自らのＩＤ番号を蓄え、かつ機体のＩＤを記憶することができれば、ＩＣカード以外の記憶媒体でも適用することができるものである。
以上のように、本発明によれば、記憶媒体のＩＤ番号と、装置の機体ＩＤとから鍵情報を生成するように構成し、かつ記憶媒体のＩＤ番号と機体ＩＤを相互に認証する手段を設けたので、例え記憶媒体のＩＤ番号がダミーで入力されることがあってもそれが不正使用として認定されるため、著作権を的確に保護することができるものである。
【００３８】
【発明の効果】
以上のように、本発明によれば、記憶媒体のＩＤ番号と、装置の機体ＩＤとから鍵情報を生成するように構成し、かつ記憶媒体のＩＤ番号と機体ＩＤを相互に認証する手段を設けたので、著作権を確実に保護することができるものである。
【図面の簡単な説明】
【図１】本発明に係る、デジタル情報の記録再生装置を示す回路ブロック図。
【図２】図１に示す装置の動作を説明するためのフローチャート。
【図３】図２に示すフローチャートの要部を詳細に示すフローチャート。
【符号の説明】
１１…パラボラアンテナ
１２…アンテナ入力端子
１３…チューナユニット
１４…デスクランブラ
１５…デマルチプレクサ
１６…ＭＰＥＧデコーダ
１７…音声信号処理部
１９…グラフィックス処理部
２１…制御部
２２…操作部
２３…ストレージデバイス
２４…暗号化／暗号解除部
２５…メモリ
２６…ＩＣカードＩ／Ｆ
２７…ＩＣカード
【図１】
2004205723.tif 000003
【図２】
2004205723.tif 000004
【図３】
2004205723.tif 000005